(57)【要約】【課題】映像信号受信機器に間違った日付が設定されていた場合はそれを使用者に明確に報知し、電子番組表を利用した予約視聴あるいは予約録画が未達成に終わることを防ぐ。【解決手段】テレビジョン受像機１及びこれに接続された録画機器１０はいずれも電子番組表取得機能を備える。取得した電子番組表の日付と、テレビジョン受像機１あるいは録画機器１０自身に設定された日付とが異なるときは、電子番組表取得後、テレビジョン受像機１あるいは録画機器１０を最初にパワーオン状態にしたとき、テレビ画面２にエラーメッセージが表示される。【選択図】図３
2007208491.tif 000002
【特許請求の範囲】
【請求項１】
電子番組表取得機能を備え、取得した電子番組表の日付と自身に設定された日付とが異なるときは、電子番組表取得後、当該映像信号受信機器を最初にパワーオン状態にしたとき、テレビ画面にエラーメッセージが表示されることを特徴とする映像信号受信機器。
【請求項２】
電子番組表取得機能を備え、取得した電子番組表の日付と自身に設定された日付とが異なるときはエラーメッセージを表示することを特徴とする映像信号受信機器。
【請求項３】
電子番組表取得後、当該映像信号受信機器を最初にパワーオン状態にしたときに前記エラーメッセージの表示が行われることを特徴とする請求項２に記載の映像信号受信機器。
【請求項４】
前記エラーメッセージがテレビ画面に表示されることを特徴とする請求項２又は３に記載の映像信号受信機器。
【発明の詳細な説明】
【技術分野】
【０００１】
本発明は電子番組表取得機能を備えた映像信号受信機器に関する。本明細書において映像信号受信機器とは、テレビジョン受像機をはじめ、ＨＤレコーダ、ＤＶＤレコーダ、ビデオテープレコーダなどのような録画機器、ケーブルテレビシステムのセットトップボックス、テレビチューナ付パーソナルコンピュータなど、テレビ映像信号を受信できる機器全般を指すものとする。
【背景技術】
【０００２】
テレビ放送では文字多重放送を利用した電子番組表（EPG：Electronic Program Guide）のシステムが実用化されており、電子番組表取得機能を備えた映像信号受信機器も一般的になっている。そのような映像信号受信機器の例をいくつかの特許文献に見ることができる。
【０００３】
特許文献１には、電子番組表を用いてテレビのオンタイマ、オフタイマの予約ができる文字放送受信機が記載されている。
【０００４】
特許文献２には、パーソナルコンピュータに用いられる電子番組表受信装置であって、不完全な電子番組表データを除去できるものが記載されている。
【０００５】
特許文献３には、利用者に指定された日付時刻に文字、画像データや映像信号の再生だけを行うのではなく、音声も映像と同様に取り扱うことのできる映像音声機器システムが記載されている。
【０００６】
特許文献４には、アダプタとして追加することにより、既存の録画機器に電子番組表による録画予約機能を付加できる録画予約装置が記載されている。
【特許文献１】特開平５−２８４４７８号公報（［０００７］−［００１１］、図１−３）
【特許文献２】特開２００１−３２６８７２号公報（［００１０］−［００２５］、図１−４）
【特許文献３】特開２０００−２２４５３８号公報（［００１８］−［００３４］、図１−６）
【特許文献４】特開平８−１０７５３８号公報（［００２２］−［００３０］、図１−４）
【発明の開示】
【発明が解決しようとする課題】
【０００７】
我が国で実用化されている電子番組表システムは、電子番組表による予約視聴あるいは予約録画を実行する際、映像信号受信機器側の日付情報を参照する。従って、映像信号受信機器側の日付設定が間違っていれば、間違ったタイミングで動作を開始しようとするので、目的とする番組の視聴あるいは録画ができなくなる。
【０００８】
本発明は上記の点に鑑みなされたものであって、映像信号受信機器に間違った日付が設定されていた場合はそれを使用者に明確に報知し、電子番組表を利用した予約視聴あるいは予約録画が未達成に終わることを防ごうとするものである。
【課題を解決するための手段】
【０００９】
上記目的を達成するために、請求項１の発明は、電子番組表取得機能を備え、取得した電子番組表の日付と自身に設定された日付とが異なるときは、電子番組表取得後、当該映像信号受信機器を最初にパワーオン状態にしたとき、テレビ画面にエラーメッセージが表示される映像信号受信機器を提供する。
【００１０】
この構成によると、取得した電子番組表の日付と自身に設定された日付とが異なるときはエラーメッセージを表示するから、日付不一致のまま予約時刻を迎え、予定していた番組の視聴あるいは録画の機会を逃すということがない。そしてエラーメッセージの表示は、
予約時刻を待たず、映像信号受信機器をパワーオン状態にしたときに実行されるので、予約時刻になってから異常を認識して慌てるといったこともない。さらに、日常的に目をやるテレビ画面に見やすい大きさでエラーメッセージを表示できるので、エラーメッセージ見逃しのおそれも少なくなる。
【００１１】
請求項２の発明は、電子番組表取得機能を備え、取得した電子番組表の日付と自身に設定された日付とが異なるときはエラーメッセージを表示することを特徴とする映像信号受信機器を提供する。
【００１２】
この構成によると、取得した電子番組表の日付と自身に設定された日付とが異なるときはエラーメッセージを表示するから、日付不一致のまま予約時刻を迎え、予定していた番組の視聴あるいは録画の機会を逃してしまうという事態を避けることができる。
【００１３】
請求項３の発明は、請求項２の映像信号受信機器において、電子番組表取得後、当該映像信号受信機器を最初にパワーオン状態にしたときに前記エラーメッセージの表示が行われるものとする。
【００１４】
この構成によると、予約時刻を待たず、映像信号受信機器をパワーオン状態にしたときにエラーメッセージを表示するから、予約時刻になってから異常を認識して慌てるといった事態を避けることができる。
【００１５】
請求項４の発明は、請求項２又は３の映像信号受信機器において、前記エラーメッセージがテレビ画面に表示されるものとする。
【００１６】
この構成によると、日常的に目をやるテレビ画面に、見やすい大きさでエラーメッセージを表示できるから、エラーメッセージを見逃すおそれを少なくすることができる。
【発明の効果】
【００１７】
以上のように本発明の映像信号受信機器は、取得した電子番組表の日付と自身に設定された日付とが異なるときはエラーメッセージを表示するから、日付不一致のまま予約時刻を迎え、予定していた番組の視聴あるいは録画の機会を逃すということがない。そしてエラーメッセージの表示を、予約時刻を待たず、映像信号受信機器をパワーオン状態にしたときに実行することにより、予約時刻になってから異常を認識するといった事態を招かずに済む。エラーメッセージの表示がテレビ画面上で行われることにより、エラーメッセージを見やすい大きさにすることができ、見逃しを少なくできる。
【発明を実施するための最良の形態】
【００１８】
以下、添付図面を参照しつつ本発明の実施形態を説明する。図１はテレビジョン受像機と録画機器の概略正面図、図２は機器側の日付設定の動作流れを示すフローチャート、図３は電子番組表による予約の動作流れを示すフローチャートである。
【００１９】
図１において、テレビジョン受像機１には録画機器１０が接続されている。録画機器１０はＨＤレコーダであってもよく、ＤＶＤレコーダであってもよく、ビデオテープレコーダであってもよく、あるいはこれら以外の種類のものであってもよい。テレビジョン受像機１も録画機器１０も電子番組表取得機能を備えているものとする。テレビジョン受像機１と録画機器１０はアンテナＡで受信したテレビ放送電波より所定タイミングで電子番組表のデータを取得する。我が国では１日４回電子番組表のデータが放送され、その時間に映像信号受信機器が、この実施形態で言えばテレビジョン受像機１と録画機器１０が、パワーオフの状態になっていれば電子番組表を取得できる。
【００２０】
テレビジョン受像機１あるいは録画機器１０への日付設定は図２のフローに従って行う。まずステップ＃１０１でこれらをパワーオンの状態にする。続いてステップ＃１０２で、それぞれのリモコンによりセットアップを行う。このセットアップは、購入後最初に行うセットアップを想定してもよく、あるいは使用開始後に再セットアップする状況を想定してもよい。ステップ＃１０３では日付設定の完了を確認する。日付設定が完了していればステップ＃１０４に進み、パワーオフにして作業を終える。ステップ＃１０３で日付設定が完了していなければ、ステップ＃１０２に戻るか、あるいはステップ＃１０５でパワーオフした後ステップ＃１０１に戻って、作業をやり直すことになる。
【００２１】
テレビジョン受像機１あるいは録画機器１０における電子番組表の取得は図３のフローに従って行われる。ステップ＃１１１ではテレビジョン受像機１あるいは録画機器１０がパワーオフの状態になる。それは、前述のようにパワーオフの状態でないと電子番組表を取得できないからである。所定の時刻になると、ステップ＃１１２で電子番組表の取得が開始される。ステップ＃１１３では電子番組表の取得が終了する。ステップ＃１１４では取得した電子番組表の日付とテレビジョン受像機１あるいは録画機器１０に設定された日付とを照合し、両者が一致しているかどうかをチェックする。一致していればステップ＃１１５に進む。ステップ＃１１５に進んだ場合は、パワーオフの状態からパワーオンの状態にした後、通常の動作に入る。この場合「通常の動作」とは「エラーメッセージが表示されない状態での動作」ということである。これで電子番組表取得作業は終わりとなる。
【００２２】
ステップ＃１１４で、電子番組表の日付とテレビジョン受像機１あるいは録画機器１０に設定された日付とが一致していなかった場合は、ステップ＃１１６に進む。ステップ＃１１６に進むと、パワーオフの状態からパワーオンの状態にしたとき、エラーメッセージが表示され、使用者に注意を促す。エラーメッセージの表示は、ＬＥＤなどのインジケータの点滅で異常を知らせるとか、録画機器１０であれば表示部１１にメッセージを出すといった手法をとり得るが、テレビジョン受像機１のテレビ画面２に「電子番組表と本機の日付が異なっています」という内容のメッセージをスーパーインポーズで出すのが簡明で良い。テレビ画面２を利用すればエラーメッセージの文字を見やすい大きさにすることができ、この点でも好都合である。
【００２３】
ステップ＃１１６の後のステップ＃１１７で、テレビジョン受像機１あるいは録画機器１０の日付修正が行われたかどうかをチェックする。日付修正が行われ、電子番組表の日付と一致した場合にはステップ＃１１５に進む。日付一致という結果がもたらされなかった場合はステップ＃１１６に戻る。なおエラーメッセージの表示は、日付修正の処置がとられないかぎり継続するようにしてもよく、あるいは一定時間で表示を打ち切り、次のパワーオン時に表示を再開するようにしてもよい。
【００２４】
以上本発明の実施形態につき説明したが、発明の主旨を逸脱しない範囲でさらに種々の変更を加えて実施することができる。
【産業上の利用可能性】
【００２５】
本発明は電子番組表取得機能を備えた映像信号受信機器全般に利用可能である。
【図面の簡単な説明】
【００２６】
【図１】テレビジョン受像機と録画機器の概略正面図
【図２】機器側の日付設定の動作流れを示すフローチャート
【図３】電子番組表による予約の動作流れを示すフローチャート
【符号の説明】
【００２７】
１    テレビジョン受像機
２    テレビ画面
１０  録画機器
【図１】
2007208491.tif 000003
【図２】
2007208491.tif 000004
【図３】
2007208491.tif 000005